(57)【要約】【課題】  管自体を配管場所の地形に沿わせて配管可能なものとし、管路の全長に亘って極めて効率よく迅速に配管作業ができる導水管路とその敷設方法を提供すること。【解決手段】  硬質の合成樹脂素材で凹凸波形状に形成した外壁と、軟質の合成樹脂素材で外壁の内周面に円筒状に融着してある内壁２とを備えていて、該内壁２の平均肉厚ｔを、外壁の波形の山部と谷部と両部を繋ぐ中間部との平均肉厚Ｔと同程度か薄肉にし、湾曲敷設箇所Ｃでは、湾曲大径側で殆ど伸張することなく、湾曲小径側で大きく縮小し、外壁の内周面との融着部分間で変形して波状襞２２を生じる構造としてある導水管路敷設用管体Ｈを山地の道路際に沿って埋設配管させてあるもの。この管路形成に当たって、管路内状況を監視可能とした内部監視枡４と、管路内清掃を可能とした内部清掃調整枡５とを逐次介在配置させながら、山中から所要集水箇所まで一連に敷設する。【選択図】      図１
2006336699.tif 000002
【特許請求の範囲】
【請求項１】
硬質の合成樹脂素材によって管軸方向に凹凸する波形状に形成された外壁１と、該外壁１の素材に比して軟質の合成樹脂素材によって外壁１の内周面に円筒状に融着された内壁２とを備え、
該内壁２の平均肉厚ｔが、外壁１における波形の山部１１と谷部１２と両部を繋ぐ中間部１３との平均肉厚Ｔとほぼ同じかそれよりも薄肉に形成され、湾曲敷設箇所Ｃにおいて、湾曲大径側では殆ど伸張することなく、湾曲小径側で大きく縮小し、
該湾曲小径側の内壁２が、外壁１の内周面との融着部分２１，２１間において凹形または凸形に変形して波状襞２２を生じる構造とされた導水管路敷設用管体Ｈが、山地の道路際に沿って埋設配管されている導水管路。
【請求項２】
硬質の合成樹脂素材によって管軸方向に凹凸する波形状に形成された外壁１と、該外壁１の素材に比して軟質の合成樹脂素材によって外壁１の内周面に円筒状に融着された内壁２とを備えた所定長さの多数本の導水管路敷設用管体Ｈを、
隣接管端どうしを外嵌継手３によって順次延長させながら、必要な管路途中に、筒本体４１の外周方向に突出させた２本の管接続用筒４２，４２と、上部開口部４３に開閉自在に設けた管路内監視用蓋４４を備えた内部監視枡４と、筒本体５１の外周方向に突出させた２本の管接続用筒５２，５２と、筒本体下部の外周方向に向けて突出させた管路外排水用分岐筒５４と、上部開口部５３に開閉自在に設けた管路内清掃用蓋５５とを備えた内部清掃調整枡５とを逐次介在配置させ、これら両枡４，５の管接続用筒４２，５２に前記導水管路敷設用管体Ｈを接続連結させつつ、山地の道路際に沿って前記導水管路敷設用管体Ｈを連続させて埋設するとともに、山中から所要集水箇所まで一連に敷設する導水管路の敷設方法。
【発明の詳細な説明】
【技術分野】
【０００１】
本発明は、山中から村落の所要箇所へ、農圃または用水池へ、その他の集水箇所へ送水するための導水管路と、この導水管路を山中では山道に沿わせて敷設する方法とに関するものである。より詳しくは、降雨若しくは湧水等の山中で発生した水、または湧水地や谷川等から積極的に取水した水を、水を必要とする低位置の所要箇所に確実に送水する導水管路とその形成手段とに関するものである。
【背景技術】
【０００２】
従来から流水管や導水管の途中に、管内の夾雑物を除去するための包囲ケースを付設したり、集水マスを設置したりする手段が、文献上において提案されていることが知られている。               
【特許文献１】特開平７−４５８３号公報
【非特許文献１】実開平４−１３８４８５号公報
【発明の開示】
【発明が解決しようとする課題】
【０００３】
しかしながら、前者の流水管の途中に管内の夾雑物を除去するための包囲ケースを付設する工法にあっては、既に配設されている流水管、例えばダグタイル鋳鉄管の内面にモルタルライニングが施されている流水管（水道管）１を対象として、その所要箇所に包囲ケース２を取り付けて、このケース２を利用して流水管１に貫通孔１３を開けるとともに、包囲ケース２を流水管１に取り付けたままにしておき、この包囲ケース２を利用して流水管１内の夾雑物を除去することができるようにするものであるから、流水管１それ自体は硬直管であって曲がり配管するにはエルボ継手を必要とするものであり、配管後における管内夾雑物除去用包囲ケース２の付設には多大な時間と手数を必要とするものであった。
【０００４】
また、後者の導水管の途中に集水マスを設置する手段にあっては、集水マスを形成する本管１Ａまたは１Ｂを、下部の両側に接続孔を形成してあるものとし、この接続孔にそれぞれ導水管３Ａ，３Ａまたは３Ｂ，３Ｂを接続しながら管路を形成する手段に関するものであり、この管路を形成する導水管３Ａ，３Ａまたは３Ｂ，３Ｂは、管内面が平滑で管外面がラセン状の凹凸波形に形成してある管を使用するものであるが、この導水管３Ａ，３Ｂは、ヒューム管や塩ビ管に代えて使用される管であって、図１、図３に明示されている通りの直線状に配管される硬直した管体である。
【０００５】
これらのように、前者の流水管は、例えばダグタイル鋳鉄管の内面にモルタルライニングされている硬直管体であり、後者の導水管は、ヒューム管や塩ビ管に代えて使用される硬直管を使用するものであるから、水平方向への曲げや垂直方向への曲げ、多くの場合これら水平方向と垂直方向との合成方向への曲げが必要な配管箇所では、その箇所毎に管の長さを切断調整しながらエルボ継手を利用して曲げ配管を行う必要があり、配管に多大な手数を必要とするものであった。
【０００６】
そのため、本発明が対象としているさまざまな大小曲率の異なる曲げ配管が管路の殆ど全長に亘って必要となる山中における道路際での配管、殊に山の中腹に造られた狭い林道に沿っての曲線が連続する箇所への配管を余儀なくされる導水管路の敷設に当たっては、短距離間で多数のエルボ接続が必要となると同時に、エルボ接続箇所毎に管の長さ調整のための切断作業も必要となるため多大な人手と時間を要し、また、曲げ配管箇所での必要な配管角は常に９０°なり１３５°なりの一定角に限られるものではないので、必要な曲げ角を形成するために、更に短い間隔で継手接続をしなければならない箇所も生じるため、必然的に継手箇所が多くなって作業効率を向上させることが困難となり、ひいては原価高にならざるをえないという傾向にあった。
【０００７】
そこで、このような従来の導水管路敷設作業が有していた課題を解決するための本発明の第１の目的は、管路形成用管体の構造そのものから特定構造のものとし、管体形成素材についても特定し、運搬が容易で、配管に際しては管体自体を配管場所の地形に沿わせて配管することが可能なものとし、管端どうしを延長姿勢に接当させた状態で接続可能な外嵌継手を使用して、導水管路の全長に亘って極めて効率よく迅速に配管作業を完成させることが可能な地中埋設導水管路を提案することにある。
【０００８】
また、第２の目的は、このような管路形成が容易な導水管路の敷設形成に当たって、管体の切断作業を殆ど必要とすることなく、継手接続箇所の大部分を非切断管体の長さ毎に行えばよいものとし、管路内における水の状況点検や管路内清掃を所定の間隔毎に容易に行うことができるようにした導水管路を極めて容易迅速に敷設可能な手段を提供することにある。
【課題を解決するための手段】
【０００９】
該目的を達成するために講じた本発明の第１の構成は、地中に埋設配管された導水管路の構成であって、硬質の合成樹脂素材によって管軸方向に凹凸する波形状に形成された外壁１と、該外壁１の素材に比して軟質の合成樹脂素材によって外壁１の内周面に円筒状に融着された内壁２とを備え、該内壁２の平均肉厚ｔが、外壁１における波形の山部１１と谷部１２と両部を繋ぐ中間部１３との平均肉厚Ｔとほぼ同じかそれよりも薄肉に形成され、湾曲敷設箇所Ｃにおいて、湾曲大径側では殆ど伸張することなく、湾曲小径側で大きく縮小し、該湾曲小径側の内壁２が、外壁１の内周面との融着部分２１，２１間において凹形または凸形に変形して波状襞２２を生じる構造とされた導水管路敷設用管体Ｈが、山地の道路際に沿って埋設配管されている構成としたものである。
【００１０】
また、本発明の第２の構成は、導水管路を形成する手段の構成であって、硬質の合成樹脂素材によって管軸方向に凹凸する波形状に形成された外壁１と、該外壁１の素材に比して軟質の合成樹脂素材によって外壁１の内周面に円筒状に融着された内壁２とを備えた所定長さの多数本の導水管路敷設用管体Ｈを、隣接管端どうしを外嵌継手３によって順次延長させながら、必要な管路途中に、筒本体４１の外周方向に突出させた２本の管接続用筒４２，４２と、上部開口部４３に開閉自在に設けた管路内監視用蓋４４とを備えた内部監視枡４と、筒本体５１の外周方向に突出させた２本の管接続用筒５２，５２と、筒本体下部の外周方向に向けて突出させた管路外排水用分岐筒５４と、上部開口部５３に開閉自在に設けた管路内清掃用蓋５５とを備えた内部清掃調整枡５とを逐次介在配置させ、これら両枡４，５の管接続用筒４２，５２に前記導水管路敷設用管体Ｈを接続連結させつつ、山地の道路際に沿って前記導水管路敷設用管体Ｈを連続させて埋設するとともに、山中から所要集水箇所まで一連に敷設する構成としたものである。
【発明の効果】
【００１１】
本発明にいう導水管路の発明は、導水管路敷設用管体自体の構造を、硬質の非塩素系合成樹脂素材によって管軸方向に凹凸する波形状に形成された外壁構成体と、該外壁構成体の素材に比して軟質の非塩素系合成樹脂素材によって外壁構成体の内周面に円筒状に融着された内壁構成体とを備えているものとし、該内壁の平均肉厚ｔが、外壁における波形の山部と谷部と両部を繋ぐ中間部との平均肉厚Ｔよりも薄肉に形成してあるものとし、湾曲敷設箇所Ｃにおいて、湾曲大径側では殆ど伸張することなく、湾曲小径側において大きく縮小し、該湾曲小径側の内壁が、外壁の内周面との融着部分間において凹形または凸形に変形して波状襞を生じる構造としてあるため、曲線が連続する山地において道路際の湾曲線に沿わせながら自然な曲線配管が容易にでき、管路中に屈曲配管箇所がなく、管路全体を緩やかな湾曲配管路とすることができるので、管路の全長に亘って水を淀みなく流すことができるという顕著な効果を有する。
【００１２】
また、本発明にいう導水管路の敷設方法に関する発明は、前記のような構造とした所定長さに形成した多数本の導水管路敷設用管体を、エルボのような屈曲配管用継手を使用することなく、筒状継手や半割り継手のような単純な外嵌継手を使用して隣接管端どうしを順次連結しながら、必要な適宜の管路途中に、筒本体の外周方向に突出させた２本の管接続用筒と、上部開口部に設けた管路内監視用蓋とを備えていて、上部から管路内の状況を監視可能とした内部監視枡と、筒本体の外周方向に突出させた２本の管接続用筒と、上部開口部に開閉自在に設けた管路内清掃用開閉蓋と、筒本体下部の外周方向に突出させた管路外排水用分岐筒とを備えた内部清掃調整枡とを逐次介在配置させながら、これら両枡の管接続用筒に前記導水管路敷設用管体を接続連結させつつ、山地の道路際に沿って管体を連続させて埋設し、更に山中から所要集水箇所まで一連に敷設するものであって、管路の敷設工事を従来の管路敷設工事に比して極めて効率よく迅速に敷設することができるという顕著な効果を有している。
【発明を実施するための最良の形態】
【００１３】
上記のような構成とした本発明にいうところの導水管路を形成するために使用する管体は、地中に埋設して使用するものであるから、地中にあって経時劣化が少なく、耐水性・耐候性に優れ、耐圧性にも優れ、長期の埋設にも塩素等の有害物質が地中に浸出するおそれのないポリオレフィン系樹脂素材を用いた管体が好ましい。また、この管路形成に使用する内部監視枡や内部清掃調整枡についても、ポリオレフィン系樹脂素材を用いて形成したものが、前記のように耐水性・耐候性並びに耐圧性に優れている点で好ましく、軽量で運搬が容易であるという点でも好ましい。
【実施例】
【００１４】
以下本発明の実施例について図面に基づいて説明する。図面中、図１乃至図１３は、本発明の主たる実施例を示した図であって、図１及び図２は管路の一部を示した平面図及び側面図である。図３は管路形成に用いる管体の一部断面平面図、図４は外嵌継手の斜視図、図５及び図６は内部監視枡及び内部清掃調整枡の斜視図、図７は同外嵌継手と管体との連結状態を示した斜視図、図８及び図９は外嵌継手と管体との連結状態を示した平面図及び側面図、図１０及び図１１は内部監視枡と管体との連結状態を示した平面図及び側面図、図１２及び図１３は内部清掃調整枡と管体との連結状態を示した平面図及び側面図である。
【００１５】
この主たる実施例に示した管路形成に用いる管体Ｈは、殊に図３において具体的に示したように、外壁１と内壁２とからなっている２層管であって、外壁１は、硬質ポリエチレン樹脂素材を用いて周知の螺旋管形成装置によって螺旋凹凸状に形成した螺旋凹凸管であり、内壁２は、外壁形成素材に比して軟質のポリエチレン樹脂素材を用いて同じく周知の内管押出形成装置によって外壁１の内部にチューブ状に押し出した樹脂に内圧を加えて、外壁１の内周面に融着させた円筒状の内壁である。
【００１６】
而して、同図３にみられるように、該内壁２の肉厚ｔは、外壁１における螺旋波形の山部１１の肉厚Ｔ１と、谷部１２の肉厚Ｔ２と、これら両部を繋ぐ中間部１３、該実施例図のものでは左右の傾斜壁の肉厚Ｔ３との何れの肉厚よりも薄肉に形成してある。
【００１７】
このような構造とした管体Ｈは、図１に示したように、緩やかな湾曲状に変形可能な管であって、山地の道路際等の敷設箇所の地形に沿わせて湾曲状に配管させることができるようにしてある。該管体Ｈは、図３に拡大して例示したように、このような湾曲敷設箇所Ｃにおいて、湾曲大径側（同図において上側）では殆ど伸張することなく、湾曲小径側で主として縮小する。この縮小箇所での内壁２は、外壁１の内周面＝谷部１２の内周面と融着している部分２１，２１間において、管の中心線側に向かって凸形に変形して波状襞２２を生じることによって縮小する構造としてある。
【００１８】
この管路形成時には、管体Ｈと管体Ｈとを接続するために用いる管継手３と、管路内の状況を蓋４４を外すか開いてまたは透明蓋の上部から内部を監視することができるようにした内部監視枡４と、管路内の状況を蓋５５を外すか開いて内部を確認し木の葉等の不要物を集めて取り出すか底に沈殿させて外部に排出することができるようにした内部清掃調整枡５とを使用する。
【００１９】
該実施例に示した管継手３は、図４に示したように、ゴム製のシールパッキング３４を介して管体の外周を上下から挟み込んで締め付ける半割り継手であって、図７〜９に示したように、隣接する管端Ｈ，Ｈどうしの突き合わせ部分上に巻き付けたシールパッキング３４の上下に半割り体３１，３１を配置し、その両端に形成してある上下の締め付けフランジ部３２，３２を突き合わせ状としてボルト・ナット３３によって締め付ける方式とした外嵌継手３である。この外嵌継手３によって管端どうしを順次接続し延長させながら配管する。
【００２０】
該実施例に示した内部監視枡４は、管路の途中に適宜に配置して使用する枡であって、図５に示したように、硬質ポリエチレン樹脂素材を用いて前記管体Ｈよりも大径に形成した螺旋管を短筒状に切断して形成した筒本体４１と、同じく硬質ポリエチレン樹脂素材を用いて前記管体Ｈと外径をほぼ同一径に形成した螺旋管の短筒体を筒本体４１の互いに相反する外周方向に向かって接続して突出させた２本の管接続用筒４２，４２と、筒本体４１の上部開口部４３に対して取り外しできるように設けた管路内監視用蓋４４とを備えている。この蓋４４は例えば鉄蓋や不透明樹脂蓋のような内部透視部分を有していない蓋で覆ってあり、蓋を取り外してまたは蝶番等で開閉するようにして、管路内の状況を監視でき、場合によっては内部のゴミを筒本体４１の外に取り出すことができるようにしてあるものであればよいのであるが、例えば図５のように、中央部４５をアクリル樹脂のような透明体で形成し、外部の上方から管路内の状況を直接的に監視可能としてあるものとしてもよい。
【００２１】
また、該実施例に示した内部清掃調整枡５も、前記内部監視枡４と同様に、管路の途中に適宜に配置して使用する枡であって、図６に示したように、筒本体５１と２本の管接続用筒５２，５２とを備え、筒本体５１の上部開口部５３の上部に開閉自在とした蓋、即ちここでは管路内清掃用蓋５５を設けるようにした点は、前記内部監視枡４と同じである。ただ、該内部清掃調整枡５の場合は、管路内に入り込んだ木の葉や土砂等の不要物を除去し管路内を清掃することができるようにするために配置するものであるので、蓋５５は必ず着脱自在か蝶番開閉のような開閉可能なものとしておく。また、筒本体５１の下部には、外周方向に突出させた管路外排水用分岐筒５４を設けてあり、筒本体５１の底に集積した不要物を水とともに外部に排出させることができるようにしてある。なお、ここに示した両枡４，５は、図５及び６では、筒本体４１，５１及び管接続用筒４２，５２を螺旋管壁のみからなる管として示してあるが、前記管体Ｈのように内管を備えた二重管であってもよいことは言うまでもない。また、図示のように内面を螺旋状に形成してある場合には、接続する螺旋管体Ｈをねじ込み接続することもできる。
【００２２】
而して、これらの両枡４，５には、図１０，１１及び図１２，１３に示したように、管体Ｈの外径と外径をほぼ同径とした前記管接続用筒４２，５２に対して、管体Ｈの管端を接当させ、前記の外嵌継手３を用いて、管体どうし接続連結と同様に管体Ｈを接続連結させる。このようにして、管体Ｈを山地の道路際に沿って適宜に湾曲させながら、地形に合わせて埋設するとともに、山中から所要集水箇所まで一連に敷設することができるようにしたものである。
【００２３】
この実施例にいうところの管体Ｈの各部の大きさを、図３に記載した各符号を用いて一例を示すと次の通りである。管の内径（呼び径）ｄ≒３００ｍｍ，管の外径Ｄ≒３４０ｍｍ，内管の肉厚ｔ≒３ｍｍ，外管の平均肉厚Ｔ≒４ｍｍ，外管の螺旋ピッチｐ≒３０ｍｍ，外管の螺旋突条の突出高さｈ≒１７ｍｍ，管の定尺≒５ｍ。
【００２４】
このようにした管体Ｈを使用して全長約３００ｍの蛇行導水管路を形成する場合について例示すると、１０本の管体Ｈを５ｍごとに管継手３で接続し、５０ｍおきに前記内部監視枡４と内部清掃調整枡５とを交互に配置して管路を形成することができる。この場合、エルボのような屈曲配管用の管継手を使用する必要が一切ないので、屈曲箇所でエルボとの接続のために管体Ｈを切断して長さ調整をしたり、切断した短尺管を接続してしようしたりする手数が一切不要なため、効率よく管路の敷設工事を完成させることができる。
【００２５】
本発明にいうところの管体Ｈは、前記実施例図のもののみに限られるものではなく、例えば、図１４に示した外管１の螺旋波形が円弧状凹凸波形のものや、図１５に示したコの字形凹凸波形のもの等任意形状の管を使用することができる。また、上記各図面に示した外管の凹凸波形は螺旋波形のものとして示してあるが、この波形は環状波形の管であってもよい。
【００２６】
以上本発明の代表的と思われる実施例について説明したが、本発明は必ずしもこれらの実施例として示したもののみに限定されるものではなく、本発明にいうところの構成要件を充足し、上記の目的を達成し、効果を有する範囲内において適宜改変して実施することができるものである。
【産業上の利用可能性】
【００２７】
本発明にいう導水管路とその敷設方法は、この種の導水管路としては極めて画期的なものであり、施工が容易迅速にでき、屈曲配管箇所がなく緩やかな湾曲配管路とすることができるので水を淀みなく流すことができることから、広範囲の導水管路の形成に利用される可能性が大きいものである。
【図面の簡単な説明】
【００２８】
【図１】管路の一部を示した平面図。
【図２】管路の一部を示した側面図。
【図３】管体の曲がり状態を説明する部分断面平面図。
【図４】外管継手の斜視図。
【図５】内部監視枡の斜視図。
【図６】内部清掃調整枡の斜視図。
【図７】外管継手と管体との連結状態を示した斜視図。
【図８】外嵌継手と管体との連結状態を示した平面図。
【図９】外嵌継手と管体との連結状態を示した側面図。
【図１０】内部監視枡と管体との連結状態を示した平面図。
【図１１】内部監視枡と管体との連結状態を示した側面図。
【図１２】内部清掃調整枡と管体との連結状態を示した平面図。
【図１３】内部清掃調整枡と管体との連結状態を示した側面図。
【図１４】他の管体の部分断面平面図。
【図１５】更に他の管体の部分断面平面図。
【符号の説明】
【００２９】
１  外壁
１１  山部
１２  谷部
１３  中間部
２  内壁
２１  融着部分
２２  波状襞
３  継手
４  内部監視枡
４１  筒本体
４２  管接続用筒
４３  上部開口部
４４  蓋
５  内部清掃調整枡
５１  筒本体
５２  管接続用筒
５３  上部開口部
５４  排水用分岐筒
５５  蓋
Ｈ  管体
Ｔ  外壁の肉厚
ｔ  内壁の肉厚
【図１】
2006336699.tif 000003
【図２】
2006336699.tif 000004
【図３】
2006336699.tif 000005
【図４】
2006336699.tif 000006
【図５】
2006336699.tif 000007
【図６】
2006336699.tif 000008
【図７】
2006336699.tif 000009
【図８】
2006336699.tif 000010
【図９】
2006336699.tif 000011
【図１０】
2006336699.tif 000012
【図１１】
2006336699.tif 000013
【図１２】
2006336699.tif 000014
【図１３】
2006336699.tif 000015
【図１４】
2006336699.tif 000016
【図１５】
2006336699.tif 000017